(57)【要約】皮膚に対して直接的を接触させる様々なウェアラブルな電子装置及び／又はセンサーで使用するために従来の手法を使用して伝導性メッシュ（１）に織られ、編まれ、あるいは縫い付けられることが可能な伝導性ファイバー（１０）が提供される。ノンスリップファイバーと組み合わされた場合、伝導性ファイバー（１０）は、異なる電子装置と皮膚との間の快適な電気的な通信を容易にする。【特許請求の範囲】
【請求項１】
ノンスリップファイバーと、
伝導性の芯と該伝導性の芯を囲むための伝導性の半流動性スリーブとを有する伝導性ファイバーと、
を有するファイバー構成であって、
前記ノンスリップファイバー及び伝導性ファイバーは、伝導性のノンスリップメッシュに織り込まれることを特徴とするファイバー構成。
【請求項２】
伝導性の芯と、
該伝導性の芯のまわりの伝導性の半流動性スリーブと、
を有する伝導性ファイバー。
【請求項３】
前記伝導性の芯は、前記伝導性の半流動性スリーブと嵌合するように適応されることを特徴とする請求項２に記載の伝導性ファイバー。
【請求項４】
前記伝導性の芯は、伝導性ポリマー、伝導性の金属化ファイバー、伝導性の黒鉛化ファイバー、あるいは伝導性の金属化フォイルから作製されることを特徴とする請求項２又は３に記載の伝導性ファイバー。
【請求項５】
前記伝導性の半流動性スリーブは、前記伝導性の芯に対する粘着を容易にする粘性を有することを特徴とする請求項３又は４に記載の伝導性ファイバー。
【請求項６】
前記伝導性の半流動性スリーブは、前記伝導性の芯に対して音波溶接されることを特徴とする請求項２、３、４又は５に記載の伝導性ファイバー。
【請求項７】
前記伝導性の半流動性スリーブは、シリコンゲルから作製されることを特徴とする請求項２、３、４、５又は６に記載の伝導性ファイバー。
【請求項８】
伝導性ファイバーの芯と、
該伝導性ファイバーの芯のまわりに巻かれているノンスリップファイバーと、
該ノンスリップファイバーと一致して前記伝導性ファイバーの芯のまわりに巻かれている伝導性の半流動性ファイバーと、
を有する伝導性ファイバー。
【請求項９】
前記伝導性ファイバーの芯は、前記ノンスリップファイバー及び前記伝導性の半流動性ファイバーと嵌合するように適応されることを特徴とする請求項８に記載の伝導性ファイバー。
【請求項１０】
前記伝導性ファイバーの芯は、伝導性ポリマー、伝導性の金属化ファイバー、伝導性の黒鉛化ファイバー、あるいは伝導性の金属化フォイルから作製されることを特徴とする請求項８又は９に記載の伝導性ファイバー。
【請求項１１】
前記伝導性の半流動性ファイバーは、前記伝導性ファイバーの芯に対する粘着を容易にする粘性を有することを特徴とする請求項８、９又は１０に記載の伝導性ファイバー。
【請求項１２】
前記伝導性の半流動性ファイバーは、前記伝導性ファイバーの芯に結合されることを特徴とする請求項８、９、１０又は１１に記載の伝導性ファイバー。
【請求項１３】
前記ノンスリップファイバーは、前記伝導性ファイバーの芯に結合されることを特徴とする請求項８乃至１２のいずれか一項又は一項以上に記載の伝導性ファイバー。
【請求項１４】
前記伝導性の半流動性ファイバー及び前記ノンスリップファイバーは、前記伝導性ファイバーの芯に対して音波溶接されることを特徴とする請求項８乃至１３のいずれか一項又は一項以上に記載の伝導性ファイバー。
【発明の詳細な説明】
【技術分野】
【０００１】
本発明は、伝導性ファイバーに関し、より詳細には、皮膚と接触させるウェアラブルの電子センサー装置で使用するための柔軟な伝導性のシリコンファイバーに関する。
【背景技術】
【０００２】
伝導性トレース、バイオセンサー、電極及び他のウェアラブルな電子装置として使用される様々な縫い込まれた織物又は織ってある織物での伝導性ファイバーの使用が周知である。さらに、典型的に、少なくとも数多の金属を含む伝導性ファイバーが皮膚と直接的に接触することを防ぐために伝導性シリコンが様々な異なる織物に組み込まれることが一般的に知られている。シリコンの使用は、柔軟性を提供し、皮膚に対して直接的に接触する金属に関する悪影響を除外することを支援する。しかしながら、シリコンの問題点は、湿気にさらされた（例えば、発汗）場合に滑りやすくなる傾向となることである。したがって、上述した問題点を有しない伝導性シリコンの有利な特徴を有する伝導性ファイバーが必要とされる。本発明の好ましい実施態様がこの必要性を満たす。
【発明の開示】
【発明が解決しようとする課題】
【０００３】
本発明の目的は、皮膚と直接接触するための改善された伝導性ファイバーを提供することである。
【０００４】
本発明の別の目的は、皮膚との長期間の接触のために形態化された上記の伝導性ファイバーを提供することである。
【０００５】
本発明のさらなる目的は、従来の手法によって織られ、編まれ、及び／又は縫い付けられることが可能な上記の伝導性ファイバーを提供することである。
【０００６】
本発明のまたさらなる目的は、様々なウェアラブルな電子装置及び／又はセンサーで使用するために適応された上記の伝導性ファイバーを提供することである。
【０００７】
本発明のさらなる目的は、医療機器、電極及びセンサーなどの電気器具を含む様々な織物の要素で使用するために適応された上記の伝導性ファイバーを提供することである。
【０００８】
本発明のまたさらなる目的は、快適さを高め、皮膚との長時間の接触から生じる悪影響を減少する上記の伝導性ファイバーを提供することである。
【課題を解決するための手段】
【０００９】
本発明の上述及び他の目的並びに利点は、本発明の伝導性ファイバーの第一の好ましい実施態様によって達成される。本発明の伝導性ファイバーは、好ましくは、一つ以上のノンスリップファイバーと、該一つ以上のノンスリップファイバーと織り込まれた一つ以上の伝導性ファイバーと、を有するファイバーメッシュ又は構成を有する。それらのノンスリップの伝導性ファイバーは、織るか、縫うか、あるいは編む任意の従来から周知の方法を使用して織り込まれる。好ましくは、一つ以上の伝導性ファイバーは、伝導性の半流動性スリーブによって包まれた伝導性の糸状の芯を有する。
【００１０】
本発明の目的及び利点はさらに、本発明の伝導性ファイバーの第二の好ましい実施態様によって達成される。この伝導性ファイバーは、少なくとも２つの異なるファイバーの外層を備える伝導性の糸状の芯を有する。少なくとも２つの異なるファイバーは、少なくとも一つのノンスリップファイバーと、少なくとも一つの半流動性の伝導性ファイバーとを含む。好ましくは、伝導性ファイバーは、伝導性ファイバーメッシュ又は構成を形成するために従来の手法を使用して織るか、縫うか、あるいは編むことができる。
【００１１】
本発明は、添付図と関連した好ましい実施態様の下記の詳細な記載を参照することによって、より完全に理解される。
【発明を実施するための最良の形態】
【００１２】
特に、図１を参照するに、参照番号１によって一般的に表される、本発明の第一の好ましい実施態様と一致する改善されたファイバーメッシュ又は構成が示される。好ましくは、ファイバー構成１は、一つ以上のノンスリップファイバー５と、一つ以上の伝導性ファイバー１０と、を有する。一つ以上の伝導性ファイバー１０は、任意の従来から周知である織るか、縫うか、あるいは編む方法を使用して一つ以上のノンスリップファイバー５を織り込まれる。
【００１３】
各ノンスリップファイバー５は、好ましくは、皮膚との快適な触れ合いを容易にする特徴を有する。例えば、ゴムの押出し成形されたファイバーが使用されてよい。ノンスリップのファイバー５はさらに、好ましくは、ファイバー構成１が異なる用途を収容するために異なる適応物を有することができるような異なる形状又はサイズを有することができる。
【００１４】
図２を参照するに、各伝導性ファイバー１０は、伝導性の半流動性スリーブ２０によって囲まれた伝導性の糸状又はファイバー芯１５を有する。好ましくは、芯１５及びスリーブ２０は、共に確実に嵌合するように形態化される。好ましくは、スリーブ２０は、音波溶接を解して芯１５に結合される。しかしながら、他の結合方法が使用されてもよい。
【００１５】
好ましくは、各伝導性ファイバー１０は、製造と着用中に高い程度の順応性を提供する材料の高伸張性の強さと重量、及び材料の一貫性を有する。各伝導性ファイバー１０はまた、電源（示されていない）とファイバー構成１との間の電気的な通信を容易にする。コネクタ（示されていない）は、好ましくは、電源とファイバー構成１との間の電気的な通信のための媒体を提供する。コネクタは、この電気的な通信のための手段又は手法を提供するために適する任意の形態を有することができる。ノンスリップファイバー５と同様の伝導性ファイバー１０は、ファイバー構成１が異なる用途を収容するために異なる適応物を有することができるような異なる形状又はサイズをさらに有することができる。
【００１６】
芯１５は、好ましくは異なる伝導性を有する。芯１５は、例えば、金属化フォイル、伝導性ポリマー、又は黒鉛化若しくは金属化されたファイバーや糸を含む、任意の適切な伝導性物質から作製できる。
【００１７】
スリーブ２０は、好ましくは、電気的な伝導性シリコンゲルから作製される。しかしながら、シリコンゲルと同様の伝導性及び粘性を有する物質が使用されてよい。スリーブ２０の粘性は、好ましくは、芯１５に対する粘着を容易にする。スリーブ２０は、伝導性ファイバー１０と皮膚との間の電気的な通信を容易にする。この電気的な通信は、好ましくは、様々な操作の実行を容易にする。例えば、そのような操作は、選択的な電子のマッサージ療法、選択的な電子データの収集と記録の提供、及び／又は選択的な電気的な刺激の提供を含む。
【００１８】
したがって、ファイバー構成１は、皮膚に対して直接的に接触させる、様々なウェアラブルな電子装置及び／又はセンサーで使用するための好ましく形態化された伝導性の織物を形成する。好ましくは、伝導性ファイバー１０は、使用での異なる適用を容易にするように多数の異なるパターンへ織り込むことができる。
【００１９】
図３を参照するに、参照番号３０によって一般的に示される、本発明の第二の好ましい実施態様と一致する伝導性ファイバーが示される。好ましくは、伝導性ファイバー３０は、外層４０を備える伝導性の糸状又はファイバー芯３５を有する。外層４０は、少なくとも一つのノンスリップファイバー４５と、ファイバー芯３５に確実に巻かれた少なくとも一つの半流動性の伝導性ファイバー５０とを有する。好ましくは、伝導性ファイバー３０は、伝導性のノンスリップのファイバーメッシュ又は織物に従来の手法で織るか、縫うか、あるいは編むことができる。好ましくは、伝導性ファイバー３０は、用途での異なる適用を容易にするようために、多数の異なるパターンへ織り込むことは適切である。
【００２０】
ファイバー芯３５は、好ましくは、異なる伝導性を有することができる。ファイバー芯３５は、金属化フォイル、伝導性ポリマー、又は黒鉛化若しくは金属化されたファイバーや糸を含む、任意の適切な伝導性物質から作製できる。ファイバー芯３５は、好ましくは、電源（示されていない）と半流動性の伝導性ファイバー５０との間の電気的な通信を容易にする。
【００２１】
外層４０のノンスリップファイバー４５は、皮膚との快適な触れ合いを容易にする特徴を有する。例えば、ゴムの押出し成形されたファイバーが使用されてよい。ノンスリップのファイバー４５はさらに、伝導性ファイバー３０が異なる用途を収容するために異なる適応物を有することができるような異なる形状又はサイズを有することができる。
【００２２】
外層４０の半流動性の伝導性ファイバー５０は、好ましくは、電気的な伝導性シリコンゲルから作製される。しかしながら、シリコンゲルと同様の伝導性及び粘性を有する物質が使用されてよい。半流動性の伝導性ファイバー５０の粘性は、好ましくは、ファイバー芯３５に対する粘着を容易にする。さらに、半流動性の伝導性ファイバー５０の粘性は、好ましくは、伝導性ファイバー３０と皮膚との間の快適な電気的な通信を容易にする。
【００２３】
したがって、伝導性ファイバー３０は、様々な電気的な機能と関連して好ましく使用できる、伝導性のノンスリップの織物を作製するために使用できる。例えば、上記機能は、ウェアラブルの装置又はセンサー、医療機器、並びに異なる健康及びフィットネス治療装置を含む。ファイバー構成１と同様なこの伝導性のノンスリップの織物は、好ましくは、所望の機能を実行するために必要な所望の形状、サイズ、あるいは形態にできる。
【００２４】
したがって、本発明は、本発明の好ましい形態を参照して詳細に記載されたが、ここに定義されたような本発明の範囲を逸脱せずに様々な変更及び修正がなされてもよいことが明らかである。
【図面の簡単な説明】
【００２５】
【図１】本発明の第一の好ましい実施態様と一致するファイバーメッシュ又は構成の平面図である。
【図２】図１の好ましい実施態様のファイバーメッシュの第一の伝導性ファイバーの縦断面図である。
【図３】本発明の第二の好ましい実施態様と一致する第二の伝導性ファイバーの平面図である。
【図１】
2005518634.tif 000002
【図２】
2005518634.tif 000003
【図３】
2005518634.tif 000004
【国際調査報告】
2005518634.tif 000005
2005518634.tif 000006
2005518634.tif 000007
2005518634.tif 000008